(57)【要約】【課題】下りリンク・マルチアンテナ伝送を有効に活用可能とする。【解決手段】通信制御方法は、ｅＮＢ２００−２によるヌルステアリングの対象となるＵＥ１００−１が、ヌルステアリング制御情報を複数回フィードバックするステップＡと、ｅＮＢ２００−２が、ＵＥ１００−１からフィードバックされるヌルステアリング制御情報を、ＵＥ１００−２からフィードバックされるビームフォーミング制御情報と照合するマッチング処理により、ＵＥ１００−１とペアをなすペアＵＥをＵＥ１００−２の中から選出するステップＢと、を備える。ステップＢにおいて、ｅＮＢ２００−２は、ＵＥ１００−１から今回フィードバックされた最新ヌルステアリング制御情報に加えて、ＵＥ１００−１から前回以前にフィードバックされた過去ヌルステアリング制御情報をマッチング処理に適用する。【選択図】図６
2015070282.tif 000002
【特許請求の範囲】
【請求項１】
下りリンク・マルチアンテナ伝送をサポートする移動通信システムにおいて用いられる通信制御方法であって、
基地局によるヌルステアリングの対象となるユーザ端末が、前記ヌルステアリングを制御するためのヌルステアリング制御情報を複数回フィードバックするステップＡと、
前記基地局が、前記ユーザ端末からフィードバックされる前記ヌルステアリング制御情報を、他のユーザ端末からフィードバックされるビームフォーミング制御情報と照合するマッチング処理により、前記ユーザ端末とペアをなすペア端末を前記他のユーザ端末の中から選出するステップＢと、を備え、
前記基地局は、前記ユーザ端末から前回以前にフィードバックされた過去ヌルステアリング制御情報の履歴を管理しており、
前記ステップＢにおいて、前記基地局は、前記ユーザ端末から今回フィードバックされた最新ヌルステアリング制御情報に加えて、前記過去ヌルステアリング制御情報を前記マッチング処理に適用することを特徴とする通信制御方法。
【請求項２】
前記ステップＢにおいて、前記基地局は、前記最新ヌルステアリング制御情報及び前記過去ヌルステアリング制御情報の何れかと合致する前記ビームフォーミング制御情報をフィードバックする前記他のユーザ端末を前記ペア端末として選出し、
前記通信制御方法は、前記基地局が、前記合致するビームフォーミング制御情報に基づいて、前記ペア端末に対してビームフォーミングを行うとともに、前記ユーザ端末に対して前記ヌルステアリングを行うステップＣをさらに備えることを特徴とする請求項１に記載の通信制御方法。
【請求項３】
前記ステップＡにおいて、前記ユーザ端末は、前記ユーザ端末の無線状況に基づいて設定される優先順位を有する複数のヌルステアリング制御情報のうち、最高優先順位のヌルステアリング制御情報をフィードバックし、
前記ステップＢにおいて、前記基地局は、前記マッチング処理に適用する前記ビームフォーミング制御情報の優先順位として、相対的に新しい前記ビームフォーミング制御情報に対して相対的に高い優先順位を設定することを特徴とする請求項１に記載の通信制御方法。
【請求項４】
前記ステップＡにおいて、前記ユーザ端末は、
前記ユーザ端末の無線状況に基づいて設定される優先順位を有する複数のヌルステアリング制御情報を導出し、
最高優先順位のヌルステアリング制御情報が、前回フィードバック時と今回フィードバック時とで異なる場合には、最高優先順位のヌルステアリング制御情報をフィードバックし、
最高優先順位のヌルステアリング制御情報が、前回フィードバック時と今回フィードバック時とで同じである場合には、２番目に高い優先順位のヌルステアリング制御情報をフィードバックすることを特徴とする請求項１に記載の通信制御方法。
【請求項５】
前記ステップＡにおいて、前記ユーザ端末は、最高優先順位のヌルステアリング制御情報及び２番目に高い優先順位のヌルステアリング制御情報が、前回フィードバック時と今回フィードバック時とで同じである場合には、３番目に高い優先順位のヌルステアリング制御情報をフィードバックすることを特徴とする請求項４に記載の通信制御方法。
【請求項６】
前記ステップＡにおいて、前記ユーザ端末は、フィードバックするヌルステアリング制御情報の優先順位と関連付けられた付加情報を、前記フィードバックするヌルステアリング制御情報に付加することを特徴とする請求項４又は５に記載の通信制御方法。
【請求項７】
前記付加情報は、前記フィードバックするヌルステアリング制御情報の優先順位を示す情報であることを特徴とする請求項６に記載の通信制御方法。
【請求項８】
前記付加情報は、前記基地局が管理している前記履歴を消去すべきか否かを示す情報であることを特徴とする請求項６に記載の通信制御方法。
【請求項９】
前記ステップＢにおいて、前記基地局は、前記最新ヌルステアリング制御情報が最高優先順位のヌルステアリング制御情報である場合、又は前記履歴を消去すべきことが示された場合に、前記マッチング処理に適用する前記ビームフォーミング制御情報の優先順位として、前記最新ヌルステアリング制御情報を最高優先順位に設定するとともに、前記履歴を消去することを特徴とする請求項４乃至８の何れか一項に記載の通信制御方法。
【請求項１０】
前記ステップＢにおいて、前記基地局は、前記最新ヌルステアリング制御情報が最高優先順位のヌルステアリング制御情報である場合に、前記マッチング処理に適用する前記ビームフォーミング制御情報の優先順位として、前記最新ヌルステアリング制御情報を最高優先順位に設定するとともに、前記履歴に含まれる前記過去ヌルステアリング制御情報の優先順位を１つ繰り下げることを特徴とする請求項４乃至８の何れか一項に記載の通信制御方法。
【請求項１１】
前記ステップＢにおいて、前記基地局は、前記最新ヌルステアリング制御情報が２番目に高い優先順位のヌルステアリング制御情報である場合に、
前記マッチング処理に適用する前記ビームフォーミング制御情報の優先順位として、前記履歴の中で最も新しい最高優先順位の前記過去ヌルステアリング制御情報を最高優先順位に設定するとともに、前記最新ヌルステアリング制御情報を２番目に高い優先順位に設定し、かつ、前記履歴に含まれる２番目以降の優先順位の前記過去ヌルステアリング制御情報を消去することを特徴とする請求項７に記載の通信制御方法。
【請求項１２】
前記ステップＢにおいて、前記基地局は、前記最新ヌルステアリング制御情報が２番目に高い優先順位のヌルステアリング制御情報である場合に、
前記マッチング処理に適用する前記ビームフォーミング制御情報の優先順位として、前記履歴の中で最も新しい最高優先順位の前記過去ヌルステアリング制御情報を最高優先順位に設定するとともに、前記最新ヌルステアリング制御情報を２番目に高い優先順位に設定し、かつ、前記履歴に含まれる２番目以降の前記過去ヌルステアリング制御情報の優先順位を１つ繰り下げることを特徴とする請求項７に記載の通信制御方法。
【請求項１３】
前記ステップＢにおいて、前記基地局は、前記履歴を消去すべきではないことが示された場合に、
前記マッチング処理に適用する前記ビームフォーミング制御情報の優先順位として、前記履歴の中で最も新しい最高優先順位の前記過去ヌルステアリング制御情報を最高優先順位に設定するとともに、当該最も新しい最高優先順位の前記過去ヌルステアリング制御情報の次にフィードバックされた前記過去ヌルステアリング制御情報を２番目に高い優先順位に設定することを特徴とする請求項８に記載の通信制御方法。
【請求項１４】
下りリンク・マルチアンテナ伝送をサポートする移動通信システムにおいて用いられる基地局であって、
前記基地局によるヌルステアリングの対象となるユーザ端末から複数回フィードバックされるヌルステアリング制御情報を受信する受信部と、
前記ユーザ端末からフィードバックされる前記ヌルステアリング制御情報を、他のユーザ端末からフィードバックされるビームフォーミング制御情報と照合するマッチング処理により、前記ユーザ端末とペアをなすペア端末を前記他のユーザ端末の中から選出する制御部と、を備え、
前記制御部は、前記ユーザ端末から前回以前にフィードバックされた過去ヌルステアリング制御情報の履歴を管理しており、
前記制御部は、前記ユーザ端末から今回フィードバックされた最新ヌルステアリング制御情報に加えて、前記過去ヌルステアリング制御情報を前記マッチング処理に適用することを特徴とする基地局。
【請求項１５】
下りリンク・マルチアンテナ伝送をサポートする移動通信システムにおいて、基地局によるヌルステアリングの対象となるユーザ端末であって、
前記ヌルステアリングを制御するためのヌルステアリング制御情報を複数回フィードバックする制御部を備え、
前記制御部は、フィードバックするヌルステアリング制御情報の優先順位と関連付けられた付加情報を、前記フィードバックするヌルステアリング制御情報に付加することを特徴とするユーザ端末。
【発明の詳細な説明】
【技術分野】
【０００１】
本発明は、下りリンク・マルチアンテナ伝送をサポートする移動通信システムにおいて用いられる通信制御方法、基地局、及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）システムは、下りリンク・マルチアンテナ伝送をサポートする（非特許文献１参照）。例えば、基地局は、一のユーザ端末に対してビームを向ける（ビームフォーミング）とともに、他のユーザ端末に対してヌルを向ける（ヌルステアリング）。
【０００３】
また、下りリンク・マルチアンテナ伝送の一形態として、ＣＢ（Ｃｏｏｒｄｉｎａｔｅｄ  Ｂｅａｍｆｏｒｍｉｎｇ）−ＣｏＭＰ（Ｃｏｏｒｄｉｎａｔｅｄ  Ｍｕｌｔｉ  Ｐｏｉｎｔ）がある。
【先行技術文献】
【非特許文献】
【０００４】
【非特許文献１】３ＧＰＰ技術仕様書  「ＴＳ３６．３００  Ｖ１１．６．０」  ２０１３年７月
【発明の概要】
【発明が解決しようとする課題】
【０００５】
ＣＢ−ＣｏＭＰにおいては、セルを管理する基地局は、自セルと接続する複数のビームフォーミング対象端末のそれぞれからフィードバックされるビームフォーミング制御情報と、隣接セルと接続するヌルステアリング対象端末からフィードバックされるヌルステアリング制御情報と、を受信する。そして、基地局は、ヌルステアリング制御情報と合致するビームフォーミング制御情報をフィードバックするビームフォーミング対象端末を、ヌルステアリング対象端末とペアをなすペア端末として選出する。
【０００６】
しかしながら、基地局は、ヌルステアリング制御情報と合致するビームフォーミング制御情報をフィードバックするビームフォーミング対象端末が存在しない場合には、ペア端末を選出できない。この場合、下りリンク・マルチアンテナ伝送を有効に活用することができないという問題がある。
【０００７】
そこで、本発明は、下りリンク・マルチアンテナ伝送を有効に活用可能な通信制御方法、基地局、及びユーザ端末を提供することを目的とする。
【課題を解決するための手段】
【０００８】
第１の特徴に係る通信制御方法は、下りリンク・マルチアンテナ伝送をサポートする移動通信システムにおいて用いられる。前記通信制御方法は、基地局によるヌルステアリングの対象となるユーザ端末が、前記ヌルステアリングを制御するためのヌルステアリング制御情報を複数回フィードバックするステップＡと、前記基地局が、前記ユーザ端末からフィードバックされる前記ヌルステアリング制御情報を、他のユーザ端末からフィードバックされるビームフォーミング制御情報と照合するマッチング処理により、前記ユーザ端末とペアをなすペア端末を前記他のユーザ端末の中から選出するステップＢと、を備える。前記基地局は、前記ユーザ端末から前回以前にフィードバックされた過去ヌルステアリング制御情報の履歴を管理している。前記ステップＢにおいて、前記基地局は、前記ユーザ端末から今回フィードバックされた最新ヌルステアリング制御情報に加えて、前記過去ヌルステアリング制御情報を前記マッチング処理に適用する。
【０００９】
第２の特徴に係る基地局は、下りリンク・マルチアンテナ伝送をサポートする移動通信システムにおいて用いられる。前記基地局は、前記基地局によるヌルステアリングの対象となるユーザ端末から複数回フィードバックされるヌルステアリング制御情報を受信する受信部と、前記ユーザ端末からフィードバックされる前記ヌルステアリング制御情報を、他のユーザ端末からフィードバックされるビームフォーミング制御情報と照合するマッチング処理により、前記ユーザ端末とペアをなすペア端末を前記他のユーザ端末の中から選出する制御部と、を備える。前記制御部は、前記ユーザ端末から前回以前にフィードバックされた過去ヌルステアリング制御情報の履歴を管理している。前記制御部は、前記ユーザ端末から今回フィードバックされた最新ヌルステアリング制御情報に加えて、前記過去ヌルステアリング制御情報を前記マッチング処理に適用する。
【００１０】
第３の特徴に係るユーザ端末は、下りリンク・マルチアンテナ伝送をサポートする移動通信システムにおいて、基地局によるヌルステアリングの対象となるユーザ端末である。前記ユーザ端末は、前記ヌルステアリングを制御するためのヌルステアリング制御情報を複数回フィードバックする制御部を備える。前記制御部は、フィードバックするヌルステアリング制御情報の優先順位と関連付けられた付加情報を、前記フィードバックするヌルステアリング制御情報に付加する。
【発明の効果】
【００１１】
本発明によれば、下りリンク・マルチアンテナ伝送を有効に活用可能な通信制御方法、基地局、及びユーザ端末を提供できる。
【図面の簡単な説明】
【００１２】
【図１】実施形態に係るＬＴＥシステムの構成図である。
【図２】実施形態に係るＵＥのブロック図である。
【図３】実施形態に係るｅＮＢのブロック図である。
【図４】実施形態に係る無線インターフェイスのプロトコルスタック図である。
【図５】実施形態に係る無線フレームの構成図である。
【図６】実施形態に係るＣＢ−ＣｏＭＰを説明するための図である（その１）。
【図７】実施形態に係るＣＢ−ＣｏＭＰを説明するための図である（その２）。
【図８】実施形態に係る動作パターン１を説明するための図である。
【図９】実施形態に係る動作パターン２を説明するための図である。
【図１０】実施形態に係る動作パターン３を説明するための図である。
【図１１】実施形態の変更例に係るＭＵ−ＭＩＭＯを説明するための図である（その１）。
【図１２】実施形態の変更例に係るＭＵ−ＭＩＭＯを説明するための図である（その２）。
【発明を実施するための形態】
【００１３】
［実施形態の概要］
実施形態に係る通信制御方法は、下りリンク・マルチアンテナ伝送をサポートする移動通信システムにおいて用いられる。前記通信制御方法は、基地局によるヌルステアリングの対象となるユーザ端末が、前記ヌルステアリングを制御するためのヌルステアリング制御情報を複数回フィードバックするステップＡと、前記基地局が、前記ユーザ端末からフィードバックされる前記ヌルステアリング制御情報を、他のユーザ端末からフィードバックされるビームフォーミング制御情報と照合するマッチング処理により、前記ユーザ端末とペアをなすペア端末を前記他のユーザ端末の中から選出するステップＢと、を備える。前記基地局は、前記ユーザ端末から前回以前にフィードバックされた過去ヌルステアリング制御情報の履歴を管理している。前記ステップＢにおいて、前記基地局は、前記ユーザ端末から今回フィードバックされた最新ヌルステアリング制御情報に加えて、前記過去ヌルステアリング制御情報を前記マッチング処理に適用する。
【００１４】
実施形態では、前記ステップＢにおいて、前記基地局は、前記最新ヌルステアリング制御情報及び前記過去ヌルステアリング制御情報の何れかと合致する前記ビームフォーミング制御情報をフィードバックする前記他のユーザ端末を前記ペア端末として選出する。前記通信制御方法は、前記基地局が、前記合致するビームフォーミング制御情報に基づいて、前記ペア端末に対してビームフォーミングを行うとともに、前記ユーザ端末に対して前記ヌルステアリングを行うステップＣをさらに備える。
【００１５】
実施形態の動作パターン１では、前記ステップＡにおいて、前記ユーザ端末は、前記ユーザ端末の無線状況に基づいて設定される優先順位を有する複数のヌルステアリング制御情報のうち、最高優先順位のヌルステアリング制御情報をフィードバックする。前記ステップＢにおいて、前記基地局は、前記マッチング処理に適用する前記ビームフォーミング制御情報の優先順位として、相対的に新しい前記ビームフォーミング制御情報に対して相対的に高い優先順位を設定する。
【００１６】
実施形態の動作パターン２及び３では、前記ステップＡにおいて、前記ユーザ端末は、前記ユーザ端末の無線状況に基づいて設定される優先順位を有する複数のヌルステアリング制御情報を導出する。前記ユーザ端末は、最高優先順位のヌルステアリング制御情報が、前回フィードバック時と今回フィードバック時とで異なる場合には、最高優先順位のヌルステアリング制御情報をフィードバックする。前記ユーザ端末は、最高優先順位のヌルステアリング制御情報が、前回フィードバック時と今回フィードバック時とで同じである場合には、２番目に高い優先順位のヌルステアリング制御情報をフィードバックする。
【００１７】
実施形態の動作パターン２及び３では、前記ステップＡにおいて、前記ユーザ端末は、最高優先順位のヌルステアリング制御情報及び２番目に高い優先順位のヌルステアリング制御情報が、前回フィードバック時と今回フィードバック時とで同じである場合には、３番目に高い優先順位のヌルステアリング制御情報をフィードバックする。
【００１８】
実施形態の動作パターン２及び３では、前記ステップＡにおいて、前記ユーザ端末は、フィードバックするヌルステアリング制御情報の優先順位と関連付けられた付加情報を、前記フィードバックするヌルステアリング制御情報に付加する。
【００１９】
実施形態の動作パターン２では、前記付加情報は、前記フィードバックするヌルステアリング制御情報の優先順位を示す情報である。
【００２０】
実施形態の動作パターン３では、前記付加情報は、前記基地局が管理している前記履歴を消去すべきか否かを示す情報である。
【００２１】
実施形態の動作パターン２及び３では、前記ステップＢにおいて、前記基地局は、前記最新ヌルステアリング制御情報が最高優先順位のヌルステアリング制御情報である場合、又は前記履歴を消去すべきことが示された場合に、前記マッチング処理に適用する前記ビームフォーミング制御情報の優先順位として、前記最新ヌルステアリング制御情報を最高優先順位に設定するとともに、前記履歴を消去する。
【００２２】
実施形態の動作パターン２及び３では、前記ステップＢにおいて、前記基地局は、前記最新ヌルステアリング制御情報が最高優先順位のヌルステアリング制御情報である場合に、前記マッチング処理に適用する前記ビームフォーミング制御情報の優先順位として、前記最新ヌルステアリング制御情報を最高優先順位に設定するとともに、前記履歴に含まれる前記過去ヌルステアリング制御情報の優先順位を１つ繰り下げる。
【００２３】
実施形態の動作パターン２では、前記ステップＢにおいて、前記基地局は、前記最新ヌルステアリング制御情報が２番目に高い優先順位のヌルステアリング制御情報である場合に、前記マッチング処理に適用する前記ビームフォーミング制御情報の優先順位として、前記履歴の中で最も新しい最高優先順位の前記過去ヌルステアリング制御情報を最高優先順位に設定するとともに、前記最新ヌルステアリング制御情報を２番目に高い優先順位に設定し、かつ、前記履歴に含まれる２番目以降の優先順位の前記過去ヌルステアリング制御情報を消去する。
【００２４】
或いは、実施形態の動作パターン２では、前記ステップＢにおいて、前記基地局は、前記最新ヌルステアリング制御情報が２番目に高い優先順位のヌルステアリング制御情報である場合に、前記マッチング処理に適用する前記ビームフォーミング制御情報の優先順位として、前記履歴の中で最も新しい最高優先順位の前記過去ヌルステアリング制御情報を最高優先順位に設定するとともに、前記最新ヌルステアリング制御情報を２番目に高い優先順位に設定し、かつ、前記履歴に含まれる２番目以降の前記過去ヌルステアリング制御情報の優先順位を１つ繰り下げる。
【００２５】
実施形態の動作パターン３では、前記ステップＢにおいて、前記基地局は、前記履歴を消去すべきではないことが示された場合に、前記マッチング処理に適用する前記ビームフォーミング制御情報の優先順位として、前記履歴の中で最も新しい最高優先順位の前記過去ヌルステアリング制御情報を最高優先順位に設定するとともに、当該最も新しい最高優先順位の前記過去ヌルステアリング制御情報の次にフィードバックされた前記過去ヌルステアリング制御情報を２番目に高い優先順位に設定する。
【００２６】
実施形態に係る基地局は、下りリンク・マルチアンテナ伝送をサポートする移動通信システムにおいて用いられる。前記基地局は、前記基地局によるヌルステアリングの対象となるユーザ端末から複数回フィードバックされるヌルステアリング制御情報を受信する受信部と、前記ユーザ端末からフィードバックされる前記ヌルステアリング制御情報を、他のユーザ端末からフィードバックされるビームフォーミング制御情報と照合するマッチング処理により、前記ユーザ端末とペアをなすペア端末を前記他のユーザ端末の中から選出する制御部と、を備える。前記制御部は、前記ユーザ端末から前回以前にフィードバックされた過去ヌルステアリング制御情報の履歴を管理している。前記制御部は、前記ユーザ端末から今回フィードバックされた最新ヌルステアリング制御情報に加えて、前記過去ヌルステアリング制御情報を前記マッチング処理に適用する。
【００２７】
実施形態に係るユーザ端末は、下りリンク・マルチアンテナ伝送をサポートする移動通信システムにおいて、基地局によるヌルステアリングの対象となるユーザ端末である。前記ユーザ端末は、前記ヌルステアリングを制御するためのヌルステアリング制御情報を複数回フィードバックする制御部を備える。前記制御部は、フィードバックするヌルステアリング制御情報の優先順位と関連付けられた付加情報を、前記フィードバックするヌルステアリング制御情報に付加する。
【００２８】
［実施形態］
以下において、本発明をＬＴＥシステムに適用する場合の実施形態を説明する。
【００２９】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３０】
ＵＥ１００は、ユーザ端末に相当する。ＵＥ１００は、移動型の通信装置であり、接続先のセル（サービングセル）との無線通信を行う。ＵＥ１００の構成については後述する。
【００３１】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３２】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３３】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３４】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３５】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００３６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３７】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３８】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。
【００３９】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００４０】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４１】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４２】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４３】
物理層は、符号化・復号、変調・復調、アンテナマッピング・デマッピング、及びリソースマッピング・デマッピングを行う。ｅＮＢ２００の物理層は、プリコーダ行列（送信アンテナウェイト）及びランク（信号系列数）を適用して下りリンク・マルチアンテナ伝送を行う。実施形態に係る下りリンク・マルチアンテナ伝送の詳細については後述する。ＵＥ１００の物理層とｅＮＢ２００の物理層との間では、物理チャネルを介してユーザデータ及び制御信号が伝送される。
【００４４】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００４５】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４６】
ＰＤＣＰ層は、ヘッダ圧縮・伸張、及び暗号化・復号化を行う。
【００４７】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４８】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４９】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５０】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソースのうち、周波数リソースはリソースブロックにより特定でき、時間リソースはサブフレーム（又はスロット）により特定できる。
【００５１】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。
【００５２】
上りリンクにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００５３】
（ＣＢ−ＣｏＭＰ）
実施形態に係るＬＴＥシステムは、下りリンク・マルチアンテナ伝送の一形態であるＣＢ−ＣｏＭＰをサポートする。ＣＢ−ＣｏＭＰでは、複数のｅＮＢ２００が協調してビームフォーミング及びヌルステアリングを行う。
【００５４】
図６及び図７は、ＣＢ−ＣｏＭＰを説明するための図である。図６に示すように、ｅＮＢ２００−１及びｅＮＢ２００−２は、互いに隣接するセルを管理する。また、ｅＮＢ２００−１のセル及びｅＮＢ２００−２のセルは、同一の周波数に属する。
【００５５】
ＵＥ１００−１は、ｅＮＢ２００−１のセルとの接続を確立した状態（接続状態）である。すなわち、ＵＥ１００−１は、ｅＮＢ２００−１のセルをサービングセルとして通信を行う。
【００５６】
これに対し、ＵＥ１００−２は、ｅＮＢ２００−２のセルとの接続を確立した状態（接続状態）である。すなわち、ＵＥ１００−２は、ｅＮＢ２００−２のセルをサービングセルとして通信を行う。図６では、ｅＮＢ２００−２のセルとの接続を確立するＵＥ１００−２を１つのみ図示しているが、実環境では、複数のＵＥ１００−２がｅＮＢ２００−２のセルとの接続を確立している。
【００５７】
ＵＥ１００−１は、ｅＮＢ２００−１のセル及びｅＮＢ２００−２のセルの境界領域に位置する。この場合、ＵＥ１００−１は、ｅＮＢ２００−２のセルからの干渉の影響を受ける。ＵＥ１００−１に対してＣＢ−ＣｏＭＰを適用することにより、ＵＥ１００−１が受ける干渉を抑圧できる。
【００５８】
以下において、ＵＥ１００−１に対してＣＢ−ＣｏＭＰを適用する場合のＣＢ−ＣｏＭＰの通信手順について説明する。尚、ＣＢ−ＣｏＭＰが適用されるＵＥ１００−１は、「ＣｏＭＰ  ＵＥ」と称されることがある。すなわち、ＵＥ１００−１は、ヌルステアリング対象端末に相当する。ＵＥ１００−１（ＣｏＭＰ  ＵＥ）のサービングセルは、「アンカーセル」と称されることがある。
【００５９】
ＵＥ１００−１及びＵＥ１００−２のそれぞれは、サービングセルから受信する参照信号などに基づいて、自身に対してビームを向けるためのビームフォーミング制御情報をサービングセルにフィードバックする。実施形態では、ビームフォーミング制御情報は、プリコーダ行列インジケータ（ＰＭＩ）及びランクインジケータ（ＲＩ）を含む。ＰＭＩは、サービングセルに推奨されるプリコーダ行列（送信アンテナウェイト）を示すインジケータである。ＲＩは、サービングセルに推奨されるランク（信号系列数）を示すインジケータである。ＵＥ１００−１及びＵＥ１００−２のそれぞれは、プリコーダ行列及びインジケータを関連付けたテーブル（コードブック）を保持しており、所望波の通信品質が向上するプリコーダ行列を選択し、選択したプリコーダ行列に対応するインジケータをＰＭＩとしてフィードバックする。
【００６０】
ＵＥ１００−１は、さらに、隣接セルから受信する参照信号などに基づいて、自身に対してヌルを向けるためのヌルステアリング制御情報をサービングセルにフィードバックする。実施形態では、ヌルステアリング制御情報は、ＢＣＩ（Ｂｅｓｔ  Ｃｏｍｐａｎｉｏｎ  ＰＭＩ）及びＲＩを含む。ＢＣＩは、隣接セルに推奨されるプリコーダ行列（送信アンテナウェイト）を示すインジケータである。ＵＥ１００−１は、プリコーダ行列及びインジケータを関連付けたテーブル（コードブック）を保持しており、干渉波の受信レベルが低減する、或いは所望波への影響が低減するプリコーダ行列を選択し、選択したプリコーダ行列に対応するインジケータをＢＣＩとしてフィードバックする。
【００６１】
ｅＮＢ２００−１は、ＵＥ１００−１からフィードバックされるヌルステアリング制御情報（ＢＣＩ、ＲＩ）をｅＮＢ２００−２に転送する。
【００６２】
ｅＮＢ２００−２は、自セルと接続する複数のＵＥ１００−２のそれぞれからフィードバックされるビームフォーミング制御情報（ＰＭＩ、ＲＩ）と、隣接セルと接続するＵＥ１００−１からフィードバックされるヌルステアリング制御情報（ＢＣＩ、ＲＩ）と、を受信する。そして、ｅＮＢ２００−２は、ヌルステアリング制御情報と合致するビームフォーミング制御情報をフィードバックするＵＥ１００−２を、ＵＥ１００−１とペアをなすペアＵＥ（ペア端末）として選出する。実施形態では、「ヌルステアリング制御情報と合致するビームフォーミング制御情報」とは、ヌルステアリング制御情報に含まれるＢＣＩ及びＲＩの組み合わせと一致するＰＭＩ及びＲＩの組み合わせを含むビームフォーミング制御情報である。
【００６３】
ｅＮＢ２００−２は、ペアＵＥ（ＵＥ１００−２）を選出すると、ＵＥ１００−１に割り当てられる無線リソースと同一の無線リソースをペアＵＥに割り当てる。そして、ｅＮＢ２００−２は、ペアＵＥからフィードバックされたビームフォーミング制御情報（ＰＭＩ、ＲＩ）を適用してペアＵＥへの送信を行う。その結果、図７に示すように、ｅＮＢ２００−２は、ペアＵＥに対してビームを向けつつ、ＵＥ１００−１にヌルを向けて、ペアＵＥへの送信を行うことができる。
【００６４】
（実施形態に係る動作）
（１）動作概要
上述したように、ｅＮＢ２００−２は、ＵＥ１００−１からフィードバックされるヌルステアリング制御情報（ＢＣＩ、ＲＩ）と合致するビームフォーミング制御情報（ＰＭＩ、ＲＩ）をフィードバックするＵＥ１００−２を、ＵＥ１００−１とペアをなすペアＵＥとして選出する。ここで、ＵＥ１００−１はヌルステアリング対象端末に相当し、ＵＥ１００−２はビームフォーミング対象端末に相当する。
【００６５】
しかしながら、ヌルステアリング制御情報と合致するビームフォーミング制御情報をフィードバックするＵＥ１００−２が存在しない場合には、ｅＮＢ２００−２は、ＵＥ１００−１とペアをなすペアＵＥを選出できない。以下において、このような問題を解決するための通信制御方法について説明する。
【００６６】
実施形態に係る通信制御方法は、ｅＮＢ２００−２によるヌルステアリングの対象となるＵＥ１００−１が、ヌルステアリングを制御するためのヌルステアリング制御情報を複数回フィードバックするステップＡを有する。「複数回フィードバック」とは、例えば周期的なフィードバックである。但し、周期的なフィードバックに限らず、非周期的なフィードバックであってよい。
【００６７】
また、実施形態に係る通信制御方法は、ｅＮＢ２００−２が、ＵＥ１００−１からフィードバックされるヌルステアリング制御情報を、ＵＥ１００−２からフィードバックされるビームフォーミング制御情報と照合するマッチング処理により、ＵＥ１００−１とペアをなすペアＵＥをＵＥ１００−２の中から選出するステップＢを有する。
【００６８】
ｅＮＢ２００−２は、ＵＥ１００−１から前回以前にフィードバックされた過去ヌルステアリング制御情報の履歴を管理している。ステップＢにおいて、ｅＮＢ２００−２は、ＵＥ１００−１から今回フィードバックされた最新ヌルステアリング制御情報に加えて、過去ヌルステアリング制御情報をマッチング処理に適用する。
【００６９】
よって、最新ヌルステアリング制御情報と合致するビームフォーミング制御情報をフィードバックするＵＥ１００−２が存在しない場合であっても、過去ヌルステアリング制御情報と合致するビームフォーミング制御情報をフィードバックするＵＥ１００−２をペアＵＥとして選出できる。よって、ＵＥ１００−１に対してＣＢ−ＣｏＭＰを適用可能とすることができる。
【００７０】
実施形態では、ステップＢにおいて、ｅＮＢ２００−２は、最新ヌルステアリング制御情報及び過去ヌルステアリング制御情報の何れかと合致するビームフォーミング制御情報をフィードバックするＵＥ１００−２をペアＵＥとして選出する。実施形態に係る通信制御方法は、ｅＮＢ２００−２が、当該合致するビームフォーミング制御情報に基づいて、ペアＵＥに対してビームフォーミングを行うとともに、ＵＥ１００−１に対してヌルステアリングを行うステップＣをさらに備える。
【００７１】
（２）動作具体例
次に、実施形態に係る動作具体例として、動作パターン１乃至３を説明する。
【００７２】
（２．１）動作パターン１
図８は、実施形態に係る動作パターン１を説明するための図である。
【００７３】
図８に示すように、実施形態の動作パターン１では、ステップＡにおいて、ＵＥ１００−１は、ＵＥ１００−１の無線状況に基づいて設定される優先順位を有する複数のヌルステアリング制御情報のうち、最高優先順位のヌルステアリング制御情報をフィードバックする。
【００７４】
例えば、ＵＥ１００−１は、コードブックに含まれる複数のＰＭＩ（及びＲＩ）のそれぞれについて、干渉波の受信レベルが低減する度合い、或いは所望波への影響が低減する度合いを評価指標として、ＰＭＩ及びＲＩの組み合わせごとに優先順位を設定する。具体的には、干渉波の受信レベルが低減する度合い、或いは所望波への影響が低減する度合いが最も高いＰＭＩ及びＲＩの組み合わせに最高優先順位を設定する。そして、ＵＥ１００−１は、最高優先順位のＰＭＩ及びＲＩの組み合わせ（ヌルステアリング制御情報）をフィードバックする。
【００７５】
図８の例では、時間Ｔ１において、最高優先順位のヌルステアリング制御情報は「Ａ」であり、２番目に高い優先順位のヌルステアリング制御情報は「Ｂ」であるため、ＵＥ１００−１は、「Ａ」をフィードバックする。時間Ｔ２以降も同様の規則に則って動作する。
【００７６】
実施形態の動作パターン１では、ステップＢにおいて、ｅＮＢ２００−２は、マッチング処理に適用するビームフォーミング制御情報の優先順位として、相対的に新しいビームフォーミング制御情報に対して相対的に高い優先順位を設定する。
【００７７】
図８の例では、ｅＮＢ２００−２は、連続する異なる２フィードバックを、時系列順に、２番目優先順位及び最高優先順位として扱う。例えば、時間Ｔ３のフィードバックに着目すると、ｅＮＢ２００−２は、最新ヌルステアリング制御情報である「Ｂ」に対して最高優先順位を設定し、時間Ｔ２（前回フィードバック）に対応する過去フィードバック情報である「Ａ」に対して２番目に高い優先順位を設定する。但し、同じフィードバックが長時間連続した場合には、その前のフィードバックは無視してもよい。
【００７８】
（２．２）動作パターン２
図９は、実施形態に係る動作パターン２を説明するための図である。ここでは、動作パターン１との相違点を主として説明する。
【００７９】
図９に示すように、実施形態の動作パターン２では、ステップＡにおいて、ＵＥ１００−１は、最高優先順位のヌルステアリング制御情報が、前回フィードバック時と今回フィードバック時とで異なる場合には、最高優先順位のヌルステアリング制御情報をフィードバックする。また、ＵＥ１００−１は、最高優先順位のヌルステアリング制御情報が、前回フィードバック時と今回フィードバック時とで同じである場合には、２番目に高い優先順位のヌルステアリング制御情報をフィードバックする。さらに、ＵＥ１００−１は、最高優先順位のヌルステアリング制御情報及び２番目に高い優先順位のヌルステアリング制御情報が、前回フィードバック時と今回フィードバック時とで同じである場合には、３番目に高い優先順位のヌルステアリング制御情報をフィードバックする。それ以降も同様の規則に則って動作する。
【００８０】
図９の例では、時間Ｔ２に対応する最高優先順位のヌルステアリング制御情報は「Ａ」であり、かつ、前回フィードバック時である時間Ｔ１に対応する最高優先順位のヌルステアリング制御情報も「Ａ」であるため、ＵＥ１００−１は、時間Ｔ２において、２番目に高い優先順位のヌルステアリング制御情報「Ｂ」をフィードバックする。また、時間Ｔ３に対応する最高優先順位のヌルステアリング制御情報は「Ｂ」であり、かつ、前回フィードバック時である時間Ｔ２に対応する最高優先順位のヌルステアリング制御情報は「Ａ」であるため、ＵＥ１００−１は、時間Ｔ３において、最高優先順位のヌルステアリング制御情報「Ｂ」をフィードバックする。
【００８１】
このように、実施形態の動作パターン２では、ＵＥ１００−１は、前回フィードバックと今回フィードバックとで重複を避けながら、優先順位の高いヌルステアリング制御情報を優先的にフィードバックする。
【００８２】
また、実施形態の動作パターン２では、ステップＡにおいて、ＵＥ１００−１は、フィードバックするヌルステアリング制御情報の優先順位と関連付けられた付加情報（フィールド）を、フィードバックするヌルステアリング制御情報に付加する。具体的には、付加情報は、フィードバックするヌルステアリング制御情報の優先順位を示す情報である。これにより、ｅＮＢ２００−２は、フィードバックされたヌルステアリング制御情報に設定された優先順位を把握できる。
【００８３】
実施形態の動作パターン２では、ステップＢにおいて、ｅＮＢ２００−２は、最新ヌルステアリング制御情報が最高優先順位のヌルステアリング制御情報である場合に、マッチング処理に適用するビームフォーミング制御情報の優先順位として、最新ヌルステアリング制御情報を最高優先順位に設定するとともに、履歴を消去する。ここで、履歴を消去するのは、次の理由による。ＵＥ１００−１において最高優先順位を有するヌルステアリング制御情報が変化したということは、ＵＥ１００−１における無線環境が変化したとみなすことができる。よって、履歴の信頼性が低いため、履歴を消去する。
【００８４】
実施形態の動作パターン２では、ステップＢにおいて、ｅＮＢ２００−２は、最新ヌルステアリング制御情報が２番目に高い優先順位のヌルステアリング制御情報である場合に、マッチング処理に適用するビームフォーミング制御情報の優先順位として、履歴の中で最も新しい最高優先順位の過去ヌルステアリング制御情報を最高優先順位に設定するとともに、最新ヌルステアリング制御情報を２番目に高い優先順位に設定し、かつ、履歴に含まれる２番目以降の優先順位の過去ヌルステアリング制御情報を消去する。それ以降も同様の規則に則って動作する。
【００８５】
或いは、ｅＮＢ２００−２において履歴を消去する動作に代えて、次のような動作に変更してもよい。ステップＢにおいて、ｅＮＢ２００−２は、最新ヌルステアリング制御情報が最高優先順位のヌルステアリング制御情報である場合に、マッチング処理に適用するビームフォーミング制御情報の優先順位として、最新ヌルステアリング制御情報を最高優先順位に設定するとともに、履歴に含まれる過去ヌルステアリング制御情報の優先順位を１つ繰り下げる。この場合、履歴を消去しないので、履歴を有効活用できる。
【００８６】
また、ステップＢにおいて、ｅＮＢ２００−２は、最新ヌルステアリング制御情報が２番目に高い優先順位のヌルステアリング制御情報である場合に、マッチング処理に適用するビームフォーミング制御情報の優先順位として、履歴の中で最も新しい最高優先順位の過去ヌルステアリング制御情報を最高優先順位に設定するとともに、最新ヌルステアリング制御情報を２番目に高い優先順位に設定し、かつ、履歴に含まれる２番目以降の過去ヌルステアリング制御情報の優先順位を１つ繰り下げる。
【００８７】
（２．３）動作パターン３
図１０は、実施形態に係る動作パターン３を説明するための図である。動作パターン３は動作パターン２と類似する動作であるため、動作パターン２との相違点を主として説明する。
【００８８】
図１０に示すように、実施形態の動作パターン３では、ＵＥ１００−１においてフィードバックするヌルステアリング制御情報を選択する方法については、動作パターン２と同様である。
【００８９】
但し、実施形態の動作パターン３では、フィードバックするヌルステアリング制御情報に付加する付加情報は、ｅＮＢ２００−２が管理している履歴を消去すべきか否かを示す情報である。ＵＥ１００−１は、最高優先順位のヌルステアリング制御情報をフィードバックする場合に、履歴を消去すべきことを示す情報（ｎｅｗ）を付加情報として当該ヌルステアリング制御情報に付加する。また、ＵＥ１００−１は、２番目以降のヌルステアリング制御情報をフィードバックする場合に、履歴を消去すべきではないことを示す情報（ｈｏｌｄ）を付加情報として当該ヌルステアリング制御情報に付加する。
【００９０】
実施形態の動作パターン３では、ステップＢにおいて、ｅＮＢ２００−２は、履歴を消去すべきことが示された場合に、マッチング処理に適用するビームフォーミング制御情報の優先順位として、最新ヌルステアリング制御情報を最高優先順位に設定するとともに、履歴を消去する。
【００９１】
また、実施形態の動作パターン３では、ステップＢにおいて、ｅＮＢ２００−２は、履歴を消去すべきではないことが示された場合に、マッチング処理に適用するビームフォーミング制御情報の優先順位として、履歴の中で最も新しい最高優先順位の過去ヌルステアリング制御情報を最高優先順位に設定するとともに、当該最も新しい最高優先順位の過去ヌルステアリング制御情報の次にフィードバックされた過去ヌルステアリング制御情報を２番目に高い優先順位に設定する。
【００９２】
このように、実施形態の動作パターン３は、付加情報がｎｅｗ／ｈｏｌｄの２種類のみであるため、動作パターン２に比べ、付加情報の情報量を削減できる。
【００９３】
［変更例］
上述した実施形態では、下りリンク・マルチアンテナ伝送の一形態であるＣＢ−ＣｏＭＰに本発明を適用する一例を説明したが、下りリンク・マルチアンテナ伝送の他の形態であるＭＵ（Ｍｕｌｔｉ  Ｕｓｅｒ）−ＭＩＭＯ（Ｍｕｌｔｉｐｌｅ−Ｉｎｐｕｔ  Ａｎｄ  Ｍｕｌｔｉｐｌｅ−Ｏｕｔｐｕｔ）に本発明を適用してもよい。実施形態の変更例では、本発明をＭＵ−ＭＩＭＯに適用するケースについて説明する。
【００９４】
図１１及び図１２は、ＭＵ−ＭＩＭＯを説明するための図である。図１１に示すように、ＵＥ１００−１及びＵＥ１００−２のそれぞれは、ｅＮＢ２００のセルとの接続を確立した状態（接続状態）である。すなわち、ＵＥ１００−１及びＵＥ１００−２のそれぞれは、ｅＮＢ２００のセルをサービングセルとして通信を行う。図１１では、ｅＮＢ２００のセルとの接続を確立するＵＥ１００を２つのみ図示しているが、実環境では、３以上のＵＥ１００がｅＮＢ２００のセルとの接続を確立している。
【００９５】
以下において、ＵＥ１００−１に対してＭＵ−ＭＩＭＯを適用する場合のＭＵ−ＭＩＭＯの通信手順について説明する。ここで、ＵＥ１００−１はヌルステアリング対象端末に相当し、ＵＥ１００−２はビームフォーミング対象端末に相当する。尚、上述した実施形態と重複する説明については省略する。
【００９６】
ＵＥ１００−１及びＵＥ１００−２のそれぞれは、サービングセルから受信する参照信号などに基づいて、自身に対してビームを向けるためのビームフォーミング制御情報をサービングセルにフィードバックする。ビームフォーミング制御情報は、ＰＭＩ及びＲＩを含む。
【００９７】
ＵＥ１００−１は、さらに、サービングセルから受信する参照信号などに基づいて、自身に対してヌルを向けるためのヌルステアリング制御情報をサービングセルにフィードバックする。ヌルステアリング制御情報は、ＢＣＩ（Ｂｅｓｔ  Ｃｏｍｐａｎｉｏｎ  ＰＭＩ）及びＲＩを含む。
【００９８】
ｅＮＢ２００は、自セルと接続する複数のＵＥ１００−２のそれぞれからフィードバックされるビームフォーミング制御情報（ＰＭＩ、ＲＩ）と、自セルと接続するＵＥ１００−１からフィードバックされるヌルステアリング制御情報（ＢＣＩ、ＲＩ）と、を受信する。そして、ｅＮＢ２００は、ヌルステアリング制御情報と合致するビームフォーミング制御情報をフィードバックするＵＥ１００−２を、ＵＥ１００−１とペアをなすペアＵＥ（ペアＵＥ）として選出する。
【００９９】
ｅＮＢ２００は、ペアＵＥ（ＵＥ１００−２）を選出すると、ＵＥ１００−１に割り当てられる無線リソースと同一の無線リソースをペアＵＥに割り当てる。そして、ｅＮＢ２００は、ペアＵＥからフィードバックされたビームフォーミング制御情報（ＰＭＩ、ＲＩ）を適用してペアＵＥへの送信を行う。その結果、図１２に示すように、ｅＮＢ２００は、ペアＵＥに対してビームを向けつつ、ＵＥ１００−１にヌルを向けて、ペアＵＥへの送信を行うことができる。
【０１００】
本変更例では、上述した実施形態に係る通信制御方法において、ｅＮＢ２００−１及びｅＮＢ２００−２をまとめて１つのｅＮＢ２００とみなすことにより、ＭＵ−ＭＩＭＯにおいても、ＵＥ１００−１とペアをなすペアＵＥを適切に選出できる。
【０１０１】
［その他の実施形態］
上述した実施形態では、ＵＥ１００−１が送信するヌルステアリング制御情報は、ｅＮＢ２００−１を介してｅＮＢ２００−２に間接的にフィードバックされていたが、ｅＮＢ２００−１を介さずにｅＮＢ２００−２に直接的にフィードバックされてもよい。
【０１０２】
上述した実施形態及びその変更例では、ヌルステアリング制御情報の一例としてＢＣＩについて説明したが、ＢＣＩに代えてＷＣＩ（Ｗｏｒｓｔ  Ｃｏｍｐａｎｉｏｎ  ＰＭＩ）を使用してもよい。ＷＣＩは、干渉源からの干渉レベルが高くなるプリコーダ行列を示すインジケータである。ｅＮＢ２００は、複数のＵＥ１００−２のそれぞれからフィードバックされるビームフォーミング制御情報（ＰＭＩ、ＲＩ）と、ＵＥ１００−１からフィードバックされるヌルステアリング制御情報（ＷＣＩ、ＲＩ）と、を受信する。そして、ｅＮＢ２００は、ヌルステアリング制御情報と合致するビームフォーミング制御情報をフィードバックするＵＥ１００−２を、ＵＥ１００−１とペアをなすペアＵＥ（ペア端末）として選出する。この場合、ヌルステアリング制御情報と合致するビームフォーミング制御情報とは、ヌルステアリング制御情報に含まれるＷＣＩと一致しないＰＭＩを含む、又は、ヌルステアリング制御情報に含まれるＲＩと一致するＲＩを含むビームフォーミング制御情報である。
【０１０３】
上述した実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１０４】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…無線送受信機、２２０…ネットワークインターフェイス、２３０…メモリ、２４０…プロセッサ、３００…ＭＭＥ／Ｓ−ＧＷ
【図１】
2015070282.tif 000003
【図２】
2015070282.tif 000004
【図３】
2015070282.tif 000005
【図４】
2015070282.tif 000006
【図５】
2015070282.tif 000007
【図６】
2015070282.tif 000008
【図７】
2015070282.tif 000009
【図８】
2015070282.tif 000010
【図９】
2015070282.tif 000011
【図１０】
2015070282.tif 000012
【図１１】
2015070282.tif 000013
【図１２】
2015070282.tif 000014